(57)【要約】【課題】  宛名札の作成時に損紙が発生することがなく、感熱紙のロスを無くせてランニングコストの削減を図れる。【解決手段】  感熱記録ロール紙９から感熱紙９′を引き出して送り出すドラッグローラ１５を有する感熱紙供給手段１０と、感熱紙９′に情報を印刷するサーマルヘッド２０及びプラテンローラ２１から成る印字ユニット１１と、感熱紙９′を所定の長さで切断して宛名札９ａにするカッターユニット１２とを備えた宛名札印刷供給部５と、宛名札印刷供給部５で作成した宛名札９ａを搬送されている新聞束７の上面に添付する宛名札添付部６とから構成した宛名札印刷添付装置１に於いて、前記感熱紙供給手段１０のドラッグローラ１５の下流側位置に印字ユニット１１を配置すると共に、ドラッグローラ１５と印字ユニット１１との間に前記カッターユニット１２を配置し、前記印字ユニット１１のプラテンローラ２１を感熱紙９′の走行方向へ回転駆動させる。【選択図】      図３
2014094496.tif 000002
【特許請求の範囲】
【請求項１】
感熱記録ロール紙（９）から感熱紙（９′）を引き出して送り出すドラッグローラ（１５）を有する感熱紙供給手段（１０）と、走行している感熱紙（９′）に情報を印刷するサーマルヘッド（２０）及びプラテンローラ（２１）から成る印字ユニット（１１）と、走行している感熱紙（９′）を所定の長さで切断して宛名札（９ａ）にするカッターユニット（１２）とを備えた宛名札印刷供給部（５）と、宛名札印刷供給部（５）で作成した宛名札（９ａ）をコンベア（８）によって搬送されている新聞束（７）の上面に添付する宛名札添付部（６）とから構成した宛名札印刷添付装置（１）に於いて、前記感熱紙供給手段（１０）のドラッグローラ（１５）の下流側位置に印字ユニット（１１）を配置すると共に、ドラッグローラ（１５）と印字ユニット（１１）との間に前記カッターユニット（１２）を配置し、前記印字ユニット（１１）のプラテンローラ（２１）を感熱紙（９′）の走行方向へ回転駆動させるようにしたことを特徴とする宛名札印刷添付装置。
【請求項２】
ドラッグローラ１５とプラテンローラ２１のピッチを宛名札９ａの所定長さよりも短く設定したことを特徴とする請求項１に記載の宛名札印刷添付装置。
【請求項３】
ドラッグローラ１５及びプラテンローラ２１を同一のローラ駆動部１６で回転駆動するようにしたことを特徴とする請求項１又は請求項２に記載の宛名札印刷添付装置。
【請求項４】
カッターユニット１２と印字ユニット１１との間に、切断された感熱紙９′の先端部を印字ユニット１１のサーマルヘッド２０とプラテンローラ２１との間に案内するガイド板２４を設けたことを特徴とする請求項１、請求項２又は請求項３に記載の宛名札印刷添付装置。
【発明の詳細な説明】
【技術分野】
【０００１】
本発明は、主に新聞等の印刷工場に於いて用いられ、制御コンピューターから送信される宛名札印刷情報又は予め準備された宛名札印刷情報に基づいて宛名札を印刷すると共に、カウンタースタッカーへ又はフィーダー装置へ新聞の束部数データを送信して束作成を指示し、作成した新聞束を搬送するコンベアからの束シフト信号と照合することにより、コンベア上の新聞束に前記印刷した宛名札を添付するようにした宛名札印刷添付装置であって、特に、感熱記録ロール紙から感熱紙を引き出してこれに販売店や発行部数等の各種情報を印刷すると共に、引き出した感熱紙を所定の長さで切断して宛名札を作成するようにした宛名札印刷添付装置に係り、宛名札の作成時に損紙が発生することがなく、感熱紙のロスを皆無にするようにした宛名札印刷添付装置に関するものである。
【背景技術】
【０００２】
一般に、新聞社の印刷工場に於いては、印刷されて搬送されて来る新聞の列から所定部数の新聞束を作成すると共に、作成された新聞の束に対して発送先である販売店や発光部数等の各種情報を表示した宛名札を添付し、宛名札を添付した新聞束を配送用トラックが待機するトラック積載場へ搬送するようにしている。
【０００３】
ところで、新聞社の印刷工場に於ける新聞束に添付する宛名札は、販売店等の発送先ごとに多種類に亘っており、しかも、個数、部数等は日ごとに変わるので管理が極めて煩雑である。
【０００４】
このような事情から、近年、コンピューターで制御される種々の宛名札印刷添付装置が開発されている。
【０００５】
従来、この種の宛名札印刷添付装置としては、例えば、特開２００７−１０６４５８号公報に開示された構造のものが知られている（特許文献１参照）。
【０００６】
即ち、前記宛名札印刷添付装置５０は、図５に示す如く、宛名札５５ａを印刷して供給する宛名札印刷供給部５１と、宛名札印刷供給部５１から供給された宛名札５５ａを新聞束５３の上に添付する宛名札添付部５２とから構成されており、宛名札印刷供給部５１は新聞束５３を搬送するコンベア５４の側方位置に配置され、一方、宛名札添付部５２はコンベア５４を跨いだ状態で配置されている。
【０００７】
具体的には、前記宛名札印刷供給部５１は、巻取状連続紙５５（感熱記録ロール紙）から連続紙５５′（感熱紙）を引き出して送り出す第１ドラッグローラ５６及び第２ドラッグローラ５７等から成る紙供給手段５８と、走行している連続紙５５′上に各種情報を印刷するサーマルヘッド５９及びプラテンローラ６０等から成る情報記録手段６１と、走行する連続紙５５′を所定の長さで切断して宛名札５５ａを作成するロータリーカッター６２から成る連続紙切断手段６３とから構成されている。
【０００８】
一方、前記宛名札添付部５２は、宛名札印刷供給部５１から宛名札５５ａを浮け取って搬送する第１搬送コンベア手段６４及び第２搬送コンベア手段６５を有する搬送手段６６と、搬送手段６６による宛名札５５ａの搬送中にほぼ水平姿勢の宛名札５５ａを上方から新聞束５３に向けて押し出して添付する宛名札添付手段６７とから構成されている。
【０００９】
尚、図５に於いて、６８は一対の巻取状連続紙５５を回転自在に支持する支持手段、６９は連続紙５５′を案内するガイドローラ、７０は第１ドラッグローラ５６及び第２ドラッグローラ５７を駆動するローラ駆動モータ、７１は第１ドラッグローラ５６との間で連続紙５５′を挟む押えローラ、７２は第２ドラッグローラ５７との間で連続紙５５′を挟む押えローラ、７３は連続紙５５′に色マーク及び色帯を印刷するスタンプ７４及びシリンダ７５から成る色マーク・色帯印刷手段、７６は宛名札５５ａを宛名札添付部５２側へ搬送する送りコンベア７７及びコンベア駆動モータ７８から成る宛名札搬送手段、７９は使用中の連続紙５５′の終端部に新しい連続紙５５′の始端部を両面粘着テープで紙継ぎする連続紙紙継ぎ手段、８０は前刷宛名札８１を収容する前刷宛名札収容手段、８２は前刷宛名札収容手段８０から前刷宛名札８１を取り出す前刷宛名札取り出し手段、８３は損紙受け、８４は有効宛名札受けである。
【００１０】
上述した従来の宛名札印刷添付装置５０は、発送作業と並行して宛名札５５ａを作成しながら添付するので、宛名札５５ａの情報内容、例えば、販売店、発送個数、発送部数、トラックNo.等の情報変更が発送作業開始に近い時間まで遅らせることができると共に、宛名札５５ａの作成整理等のための人員を削減し得る効果がある。
【００１１】
ところで、従来の宛名札印刷添付装置５０は、図６に示す如く、第１ドラッグローラ５６と第２ドラッグローラ５７との間にサーマルヘッド５９及びプラテンローラ６０を配置すると共に、第２ドラッグローラ５７の下流側近傍位置にロータリーカッター６２を配置する構成としているため、走行している連続紙５５′に印刷した後、連続紙５５′を切断して宛名札５５ａを作成するようになっている。
【００１２】
このとき、切断された連続紙５５′の先端部を第２ドラッグローラ５７及び押えローラ７２で保持しておかなければ、引き続き連続紙５５′の送り出しを行えないことになり、第２ドラッグローラ５７及び押えローラ７２で保持されている連続紙５５′の先端部からサーマルヘッド５９及びプラテンローラ６０に至る部分が連続紙を送り出すための紙送り部分となっている。
【００１３】
しかしながら、連続紙５５′の紙送り部分には、情報が印刷されておらず、この部分はロータリーカッター６２により切断されて廃棄されるようになっている。
その結果、従来の宛名札印刷添付装置５０で宛名札５５ａを作成する際には、連続紙５５′の宛名札５５ａになる領域の上流側部分に、宛名札５５ａの長さの約１／２〜３／４の長さに相当する常時紙送り部分が存在し、この紙送り部分は損紙として廃棄されることになり、巻取状連続紙５５のロスが多くなってランニングコストが高くなると云う問題があった。
【先行技術文献】
【特許文献】
【００１４】
【特許文献１】特開２００７−１０６４５８号公報
【発明の概要】
【発明が解決しようとする課題】
【００１５】
本発明は、このような問題点に鑑みて為されたものであり、その目的は、宛名札の作成時に損紙が発生することがなく、感熱紙のロスを無くしてランニングコストの削減を図れるようにした宛名札印刷添付装置を提供することにある。
【課題を解決するための手段】
【００１６】
本発明の請求項１の発明は、感熱記録ロール紙から感熱紙を引き出して送り出すドラッグローラを有する感熱紙供給手段と、走行している感熱紙に情報を印刷するサーマルヘッド及びプラテンローラから成る印字ユニットと、走行している感熱紙を所定の長さで切断して宛名札にするカッターユニットとを備えた宛名札印刷供給部と、宛名札印刷供給部で作成した宛名札をコンベアによって搬送されている新聞束の上面に添付する宛名札添付部とから構成した宛名札印刷添付装置に於いて、前記感熱紙供給手段のドラッグローラの下流側位置に印字ユニットを配置すると共に、ドラッグローラと印字ユニットとの間に前記カッターユニットを配置し、前記印字ユニットのプラテンローラを感熱紙の走行方向へ回転駆動させるようにしたことに特徴がある。
【００１７】
本発明の請求項２の発明は、ドラッグローラとプラテンローラのピッチを宛名札の所定長さよりも短く設定したことに特徴がある。
【００１８】
本発明の請求項３の発明は、ドラッグローラ及びプラテンローラを同一のローラ駆動部で回転駆動するようにしたことに特徴がある。
【００１９】
本発明の請求項４の発明は、カッターユニットと印字ユニットとの間に、切断された感熱紙の先端部を印字ユニットのサーマルヘッドとプラテンローラとの間に案内するガイド板を設けたことに特徴がある。
【発明の効果】
【００２０】
本発明の請求項１の宛名札印刷添付装置は、感熱紙供給手段のドラッグローラの下流側位置に印字ユニットを配置すると共に、ドラッグローラと印字ユニットとの間にカッターユニットを配置し、印字ユニットのプラテンローラを感熱紙の走行方向へ回転駆動させる構成としているため、宛名札の幅又は長さに切断した感熱紙をプラテンローラで送りながら当該感熱紙に印刷することができるので、従来の宛名札印刷添付装置のように宛名札になる領域の上流側部分に設けた紙送り部分を切断して廃棄する必要もなくなり、宛名札の作成時に損紙が発生することがなく、感熱紙のロスを無くせてランニングコストの削減を図れる。
また、本発明の請求項１の宛名札印刷添付装置は、印字ユニットのプラテンローラを回転駆動させているため、従来の宛名札印刷添付装置に比較してドラッグローラ及び押えローラの数を削減でき、構造の簡略化及びコスト削減を図れる。
【００２１】
本発明の請求項２〜請求項４の宛名札印刷添付装置は、上記効果に加えて更に次のような優れた効果を奏することができる。
即ち、本発明の請求項２の宛名札印刷添付装置は、ドラッグローラとプラテンローラのピッチを宛名札の所定長さ（幅）よりも短く設定しているため、カッターユニットより感熱紙を宛名札の大きさに切断しても、宛名札の大きさに切断された感熱紙の先端部はサーマルヘッドとプラテンローラとの間に確実に挟み込まれているので、引き続き宛名札の大きさに切断された感熱紙をプラテンローラにより送り出すことができる。
【００２２】
また、本発明の請求項３の宛名札印刷添付装置は、ドラッグローラ及びプラテンローラを同一の駆動部で回転駆動するようにしているため、新たにプラテンローラを回転駆動するための駆動部を設ける必要もなく、より一層構造の簡略化及びコスト削減を図れる。
【００２３】
更に、本発明の請求項４の宛名札印刷添付装置は、カッターユニットと印字ユニットとの間に、切断された感熱紙の先端部を印字ユニットのサーマルヘッドとプラテンローラとの間に案内するガイド板を設けているため、切断されてドラッグローラにより送り出されている感熱紙の先端部を印字ユニットへ確実且つ良好に案内することができ、切断された感熱紙の先端部をサーマルヘッドとプラテンローラとの間に確実に挟み込ませることができる。
【図面の簡単な説明】
【００２４】
【図１】本発明の実施の形態に係る宛名札印刷添付装置の概略左側面図である。
【図２】同じく宛名札印刷添付装置の概略右側面図である。
【図３】同じく宛名札印刷添付装置の要部の概略拡大図である。
【図４】同じく宛名札印刷添付装置の宛名札印刷供給部の作動状態を示す概略図である。
【図５】従来の宛名札印刷添付装置の概略右側面図である。
【図６】従来の宛名札印刷添付装置の宛名札印刷供給部作動状態を示す概略図である。
【発明を実施するための形態】
【００２５】
以下、本発明の実施の形態を図面に基づいて詳細に説明する。
図１及び図２は本発明の実施の形態に係る宛名札印刷添付装置１を示し、当該宛名札印刷添付装置１は、コンピューター等の制御部２を内蔵したボックス状のケーシング３と、ケーシング３に立設した左右の支持フレーム４と、支持フレーム４に配設され、宛名札９ａを印刷して供給する宛名札印刷供給部５と、支持フレーム４に配設され、宛名札印刷供給部５から供給された宛名札９ａを新聞束７の上に添付する宛名札添付部６とから構成されており、宛名札印刷供給部５は新聞束７を搬送するコンベア８の側方位置に配置され、一方、宛名札添付部６はコンベア８を跨いだ状態で配置されている。
【００２６】
即ち、前記宛名札印刷供給部５は、感熱記録ロール紙９から感熱紙９′を引き出して送り出す感熱紙供給手段１０と、送り出されている感熱紙９′に情報を印刷する印字ユニット１１と、送り出されている感熱紙９′を所定の長さで切断して宛名札９ａにするカッターユニット１２とを備えている。
【００２７】
尚、宛名札印刷供給部５に於いては、印刷時間の短縮と感熱紙９′の有効利用を図る目的から、作成する宛名札９ａの長辺を感熱記録ロール紙９の幅とし、宛名札９ａの短辺を感熱紙９′の切断長さとして宛名札９ａを作成するように構成されている。
【００２８】
具体的には、前記感熱紙供給手段１０は、支持フレーム４に設けられ、感熱記録ロール紙９を回転自在に支持する左右の支持部材１３と、支持フレーム４に設けた感熱紙９′のガイドローラ１４と、支持フレーム４に回転自在に支持されたドラッグローラ１５と、支持フレーム４に設けられ、ドラッグローラ１５を回転駆動するローラ駆動部１６と、支持フレーム４に設けられ、ドラッグローラ１５の外周面に当接自在な押えローラ１７とから成り、支持部材１３に支持されている感熱記録ロール紙９から引き出された連続する感熱紙９′をガイドローラ１４を通してドラッグローラ１５と押えローラ１７との間で挟み込み、この状態でローラ駆動部１６によりドラッグローラ１５を回転駆動することによって感熱記録ロール紙９から感熱紙９′が引き出されて送り出される。
【００２９】
また、ローラ駆動部１６は、支持フレーム４に取り付けたローラ駆動モータ１８と、ローラ駆動モータ１８とドラッグローラ１５を連動連結するベルト伝動機構１９とから成り、ローラ駆動モータ１８を駆動すると、ベルト伝動機構１９によりドラッグローラ１５が感熱紙９′の先端部を引き出す方向へ回転するようになっている。
【００３０】
前記印字ユニット１１は、感熱紙供給手段１０のドラッグローラ１５の下流側位置に配置されており、支持フレーム４に揺動自在に支持されたサーマルヘッド２０と、支持フレーム４に回転自在に支持され、感熱紙９′をサーマルヘッド２０に押し付けるプラテンローラ２１とから成り、サーマルヘッド２０とプラテンローラ２１との間で感熱紙９′を挟み、感熱紙９′の送り出し中に、感熱紙９′上に新聞名、刊名、版名、コース名、降ろし場所、日付、発送個数、発行部数、バーコード等の各種情報を印刷する。
【００３１】
また、印字ユニット１１のプラテンローラ２１は、ドラッグローラ１５を回転駆動するローラ駆動部１６で回転駆動するようになっており、ローラ駆動モータ１８が駆動すると、ベルト伝動機構１９によりプラテンローラ２１がドラッグローラ１５と一緒に同じ方向へ回転し、サーマルヘッド２０とプラテンローラ２１との間に挟んだ感熱紙９′を送り出す。
【００３２】
前記カッターユニット１２は、ドラッグローラ１５と印字ユニット１１との間で且つドラッグローラ１５の近傍位置に配置されて支持フレーム４に取り付けられており、ドラッグローラ１５で送り出されている感熱紙９′を所定の長さ（短辺長さ）に切断して、宛名札９ａにするものである。
【００３３】
このカッターユニット１２には、固定刃２２と、固定刃２２との協同作用により感熱紙９′を切断する回転刃２３と、回転刃２３を回転駆動する回転刃駆動モータ（図示省略）とから成るロータリーカッターが使用されてる。
【００３４】
また、カッターユニット１２は、ドラッグローラ１５により送り出されている感熱紙９′を宛名札９ａの短辺と同じ幅で切断できるように制御部２により駆動制御されている。
【００３５】
更に、カッターユニット１２と印字ユニット１１との間には、カッターユニット１２により切断されてドラッグローラ１５により引き出されている感熱紙９′の先端部が、印字ユニット１１のサーマルヘッド２０とプラテンローラ２１との間に案内されるようにガイド板２４が設けられている。
【００３６】
一方、前記宛名札添付部６は、宛名札印刷供給部５から宛名札９ａを受け取って搬送する搬送手段２５と、搬送手段２５による宛名札９ａの搬送中に水平姿勢の宛名札９ａを上方から新聞束７に向けて押し出して添付する宛名札添付手段２６とを備えており、搬送手段２５で搬送されている水平姿勢の宛名札９ａがストッパー２７により所定位置で停止された後、宛名札９ａが宛名札添付手段２６によって押圧降下され、新聞束７の上面に添付される。
【００３７】
尚、ストッパー２７は、宛名札９ａを停止させる下方位置（図３の実線位置）と、宛名札９ａの通過を許容する上方位置（図３の一点鎖線位置）とに亘って上下方向へ揺動自在となっている。このストッパー２７は、新聞束７の荷崩れ等のトラブル時に上方位置に揺動し、搬送手段２５により搬送されて来た宛名札９ａを搬送手段２５の下流側に設けた宛名札受け台２８に収納できるように制御部２により駆動制御されている。
【００３８】
具体的には、前記搬送手段２５は、印字ユニット１１のプラテンローラ２１により送り出された宛名札９ａを受け取り、宛名札９ａの対辺端縁を両側から挟んで搬送する上側搬送コンベア２９及び下側搬送コンベア３０と、両搬送コンベア２９，３０を駆動するコンベア駆動モータ３１と、両搬送コンベア２９，３０とコンベア駆動モータ３１とを連動連結するベルト伝動機構３２とから成る。
【００３９】
また、印字ユニット１１と搬送手段２５との間には、カッターユニット１２により切断されてプラテンローラ２１より送り出されている宛名札９ａの先端部が上側搬送コンベア２９と下側搬送コンベア３０との間に案内されるように下流側ガイド板３３が設けられている。
【００４０】
前記宛名札添付手段２６は、上側搬送コンベア２９の上方位置に鉛直姿勢で配置した押し下げシリンダ３４と、押し下げシリンダ３４のロッドに取り付けられ、ストッパー２７により所定の位置で停止されている宛名札９ａを押し下げて新聞束７の上面に添付する押し出し板３５とから成る。
【００４１】
而して、上述した宛名札印刷添付装置１によれば、支持部材１３に支持されている感熱記録ロール紙９の感熱紙９′は、ガイドローラ１４を経てドラッグローラ１５により連続する状態で引き出され、印字ユニット１１の固定刃２２と回転刃２３との間を通過し、ガイド板２４に案内されて印字ユニット１１のサーマルヘッド２０とプラテンローラ２１との間に挟み込まれる。
【００４２】
サーマルヘッド２０とプラテンローラ２１との間に挟み込まれた感熱紙９′は、プラテンローラ２１により送り出されると共に、サーマルヘッド２０とプラテンローラ２１の間を通過する間に感熱紙９′に各種情報が印刷される。
【００４３】
そして、感熱紙９′の所定の領域（一枚の宛名札９ａに相当する領域）に各種情報を印刷している間に、カッターユニット１２が作動して感熱紙９′が宛名札９ａの所定寸法長さに切断される。即ち、感熱紙９′が宛名札９ａの短辺の長さと同じ長さで切断される。
【００４４】
宛名札９ａの所定長さに切断された感熱紙９′は、引き続きプラテンローラ２１により送り出され、その間に切断された感熱紙９′に各種情報が全て印刷され、宛名札９ａが作成される。
【００４５】
このとき、ドラッグローラ１５とプラテンローラ２１のピッチを宛名札９ａの短辺の長さよりも短く設定しているため、カッターユニット１２より感熱紙９′を宛名札９ａの所定長さに切断しても、宛名札９ａの所定長さに切断された感熱紙９′の先端部はサーマルヘッド２０とプラテンローラ２１との間に確実に挟み込まれているので、引き続き宛名札９ａの所定長さに切断された感熱紙９′をプラテンローラ２１により送り出すことができる。
【００４６】
作成された宛名札９ａは、プラテンローラ２１から排出されて下流側ガイド板３３を経て搬送手段２５の上流側に送り込まれ、対辺端縁の両側を上側搬送コンベア２９及び下側搬送コンベア３０に挟まれた状態で搬送される。
【００４７】
搬送手段２５により搬送されている宛名札９ａは、ストッパー２７に当接して新聞束７を搬送するコンベア８の真上の位置で停止する。
【００４８】
宛名札９ａが停止したら、押し下げシリンダ３４が伸長作動して押し出し板３５により停止している宛名札９ａを押し下げて新聞束７の上面に添付する。
【００４９】
一方、カッターユニット１２より切断された感熱紙９′の先端部は、引き続きドラッグローラ１５により引き出され、印字ユニット１１の固定刃２２と回転刃２３との間を通過し、ガイド板２４に案内されて印字ユニット１１のサーマルヘッド２０とプラテンローラ２１との間に挟み込まれる。
【００５０】
このとき、カッターユニット１２と印字ユニット１１との間にガイド板２４を設けているため、切断されてドラッグローラ１５により送り出されている感熱紙９′の先端部は、印字ユニット１１のサーマルヘッド２０とプラテンローラ２１との間に確実且つ良好に案内され、切断された感熱紙９′の先端部をサーマルヘッド２０とプラテンローラ２１との間に確実に挟み込ませることができる。
【００５１】
そして、サーマルヘッド２０とプラテンローラ２１との間に挟み込まれた感熱紙９′は、プラテンローラ２１により送り出され、上述した動作と同じ動作を繰り返すことによって次の宛名札９ａが作成される。この作成された宛名札９ａは、引き続き宛名札添付部６の搬送手段２５及び宛名札添付手段２６によりコンベア８により送られて来る次の新聞束７の上面に添付される。尚、宛名札９ａの作成速度は、約５０〜６０枚／分である。
【００５２】
このように、上述した宛名札印刷添付装置１は、感熱紙供給手段１０のドラッグローラ１５の下流側位置に印字ユニット１１を配置すると共に、ドラッグローラ１５と印字ユニット１１との間にカッターユニット１２を配置し、印字ユニット１１のプラテンローラ２１を感熱紙９′の走行方向へ回転駆動させる構成としているため、宛名札９ａの所定長さ（短辺側幅）に切断した感熱紙９′をプラテンローラ２１で送りながら当該感熱紙９′に印刷することができるので、従来の宛名札印刷添付装置５０のように宛名札５５ａになる領域の上流側部分に設けた紙送り部分を切断して廃棄する必要もなくなり、宛名札９ａの作成時に損紙が発生することがなく、感熱紙９′のロスを無くせてランニングコストの削減を図れる。
【符号の説明】
【００５３】
１は宛名札印刷添付装置、２は制御部、３はケーシング、４は支持フレーム、５は宛名札印刷供給部、６は宛名札添付部、７は新聞束、８はコンベア、９は感熱紙記録ロール紙、９′は感熱紙、９ａは宛名札、１０は感熱紙供給手段、１１は印字ユニット、１２はカッターユニット、１３は支持部材、１４はガイドローラ、１５はドラッグローラ、１６はローラ駆動部、１７は押えローラ、１８はローラ駆動モータ、１９はベルト伝動機構、２０はサーマルヘッド、２１はプラテンローラ、２２は固定刃、２３は回転刃、２４はガイド板、２５は搬送手段、２６は宛名札添付手段、２７はストッパー、２８は宛名札受け台、２９は上側搬送コンベア、３０は下側搬送コンベア、３１はコンベア駆動モータ、３２はベルト伝動機構、３３は下流側ガイド板、３４は押し下げシリンダ、３５は押し出し板。
【図１】
2014094496.tif 000003
【図２】
2014094496.tif 000004
【図３】
2014094496.tif 000005
【図４】
2014094496.tif 000006
【図５】
2014094496.tif 000007
【図６】
2014094496.tif 000008